【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
解剖学的モデリングのコンピュータ実施型方法において、
患者の１つ以上の血管の画像データであって、前記患者の身体が第１の生理学的状態にある間に得られる前記画像データを受信することと、
前記患者の身体が前記第１の生理学的状態にある間に得られる前記画像データから前記１つ以上の血管の患者固有の解剖学的モデルを、プロセッサを用いて決定することと、
前記患者の身体が前記第１の生理学的状態にある間に得られる前記画像データから、前記１つ以上の血管の患者固有の生体力学的モデルを決定することと、
第１の生理学的状態とは異なる前記患者の身体の第２の生理学的状態であって、充血状態、運動状態、または投薬治療状態を含む、前記第２の生理学的状態を決定することと、
前記患者の身体の前記第２の生理学的状態に関連する１つ以上のパラメータを決定することと、
前記患者の身体の前記第２の生理学的状態の前記１つ以上のパラメータ及び前記生体力学的モデルに関連する１つ以上の幾何学的変化を取込むことにより前記解剖学的モデルを更新することと、
を含む方法。
【請求項２】
前記更新された解剖モデルを通る前記血流を定義する１つ以上の血流特性を決定することをさらに含む、請求項１に記載の方法。
【請求項３】
前記１つ以上のパラメータが、生理学的条件、境界条件またはそれらの組合せに関連するものである、請求項１に記載の方法。
【請求項４】
前記生体力学的モデルを使用してシミュレーションを実施することをさらに含み、前記患者の前記第２の生理学的状態に関連する前記１つ以上のパラメータが前記シミュレーションを用いて決定される、請求項１に記載の方法。
【請求項５】
前記シミュレーションが血流及び血圧のシミュレーションを含む、請求項４に記載の方法。
【請求項６】
前記患者の身体が前記第１の生理学的状態にある間に得られる前記画像データの１つ以上の血管の前記解剖学的モデルの１つ以上の部分を選択することをさらに含み、前記生体力学的モデルが前記第１の解剖学的モデルの前記１つ以上の部分のうちの１つの部分のモデルを含む、請求項１に記載の方法。
【請求項７】
前記生体力学的モデルが前記１つ以上の血管壁の測定値または特性のうちの少なくとも１つを含む、請求項１に記載の方法。
【請求項８】
前記更新された解剖学的モデルを用いてシミュレーションを実施することと、
前記シミュレーションの結果を出力することと、
をさらに含む、請求項１に記載の方法。
【請求項９】
前記解剖学的モデルを更新することは、第２の患者固有の解剖学的モデルを決定することを含む、請求項１に記載の方法。
【請求項１０】
解剖学的モデリング用のシステムにおいて、
解剖学的モデリングのための命令を記憶するデータ記憶デバイスと、
方法を実施するための命令を実行するように構成されたプロセッサと、を具備し、
前記方法は、
患者の１つ以上の血管の画像データであって、前記患者の身体が第１の生理学的状態にある間に得られる前記画像データを受信することと、
前記患者の身体が前記第１の生理学的状態にある間に得られる画像データから前記１つ以上の血管の患者固有の解剖学的モデルを、プロセッサを用いて決定することと、
前記患者の身体が前記第１の生理学的状態にある間に得られる画像データから、前記１つ以上の血管の患者固有の生体力学的モデルを決定することと、
第１の生理学的状態とは異なる前記患者の身体の第２の生理学的状態であって、充血状態、運動状態または、投薬治療状態を含む前記第２の生理学的状態を決定することと、
前記患者の身体の前記第２の生理学的状態に関連する１つ以上のパラメータを決定することと、
前記患者の身体の前記第２の生理学的状態の前記１つ以上のパラメータ及び前記生体力学的モデルに関連する１つ以上の幾何学的変化を取込むことにより前記解剖学的モデルを更新することと、
を含むシステム。
【請求項１１】
さらに、前記更新された解剖モデルを通る前記血流を定義する１つ以上の血流特性を決定するように構成されている、請求項１０に記載のシステム。
【請求項１２】
前記１つ以上のパラメータが、生理学的条件、境界条件またはそれらの組合せに関連するものである、請求項１０に記載のシステム。
【請求項１３】
さらに、前記生体力学的モデルを使用してシミュレーションを実施するように構成され、前記患者の前記第２の生理学的状態に関連する前記１つ以上のパラメータが前記シミュレーションを用いて決定される、請求項１０に記載のシステム。
【請求項１４】
前記シミュレーションが血流及び血圧のシミュレーションを含む、請求項１３に記載のシステム。
【請求項１５】
さらに、前記患者の身体が前記第１の生理学的状態にある間に得られる前記画像データの１つ以上の血管の前記解剖学的モデルの１つ以上の部分を選択するように構成され、前記生体力学的モデルが前記第１の解剖学的モデルの前記１つ以上の部分のうちの１つの部分のモデルを含む、請求項１０に記載のシステム。
【請求項１６】
前記生体力学的モデルが前記１つ以上の血管壁の測定値または特性のうちの少なくとも１つを含む、請求項１０に記載のシステム。
【請求項１７】
さらに、
前記更新された解剖学的モデルを用いてシミュレーションを実施するために、及び、
前記シミュレーションの結果を出力するために、
構成されている、請求項１０に記載のシステム。
【請求項１８】
前記解剖学的モデルを更新することは、第２の患者固有の解剖学的モデルを決定することを含む、請求項１０に記載のシステム。
【請求項１９】
解剖学的モデリングの方法を実施するためのコンピュータ実行可能なプログラミング命令を含むコンピュータシステム上で使用するための非一時的コンピュータ可読媒体において、
前記方法は、
患者の１つ以上の血管の画像データであって、前記患者の身体が第１の生理学的状態にある間に得られる前記画像データを受信することと、
前記患者の身体が前記第１の生理学的状態にある間に得られる画像データから前記１つ以上の血管の患者固有の解剖学的モデルを、プロセッサを用いて決定することと、
前記患者の身体が前記第１の生理学的状態にある間に得られる画像データから、前記１つ以上の血管の患者固有の生体力学的モデルを決定することと、
第１の生理学的状態とは異なる前記患者の身体の第２の生理学的状態であって、充血状態、運動状態、または投薬治療状態を含む前記第２の生理学的状態を決定することと、
前記患者の身体の前記第２の生理学的状態に関連する１つ以上のパラメータを決定することと、
前記患者の身体の前記第２の生理学的状態の前記１つ以上のパラメータ及び前記生体力学的モデルに関連する１つ以上の幾何学的変化を取込むことにより前記解剖学的モデルを更新することと、
を含む、非一時的コンピュータ可読媒体。
【請求項２０】
前記方法は、
前記更新された解剖モデルを通る前記血流を定義する１つ以上の血流特性を決定することをさらに含む、請求項１９に記載の非一時的コンピュータ可読媒体。
【請求項２１】
前記１つ以上のパラメータが、生理学的条件、境界条件またはそれらの組合せに関連するものである、請求項１９に記載の非一時的コンピュータ可読媒体。
【請求項２２】
前記方法は、
前記生体力学的モデルを使用してシミュレーションを実施することをさらに含み、前記患者の前記第２の生理学的状態に関連する前記１つ以上のパラメータが前記シミュレーションを用いて決定される、請求項１９に記載の非一時的コンピュータ可読媒体。
【請求項２３】
前記解剖学的モデルを更新することは、第２の患者固有の解剖学的モデルを決定することを含む、請求項１９に記載の非一時的コンピュータ可読媒体。
【請求項２４】
解剖学的モデリングのコンピュータ実施型方法において、
患者の１つ以上の血管の画像データであって、前記患者の身体が第１の生理学的状態にある間に得られる前記画像データを受信することと、
前記第１の生理学的状態は、充血状態、運動状態または投薬治療状態を含み、前記患者の身体が前記第１の生理学的状態にある間に得られる画像データの前記１つ以上の血管の患者固有の解剖学的モデルを、プロセッサを用いて決定することと、
前記患者の身体が前記第１の生理学的状態にある間に得られる画像データの前記１つ以上の血管の患者固有の生体力学的モデルを決定することと、
第１の生理学的状態とは異なる前記患者の身体の第２の生理学的状態を決定することと、
前記患者の身体の前記第２の生理学的状態に関連する１つ以上のパラメータを決定することと、
前記患者の身体の前記第２の生理学的状態の前記１つ以上のパラメータ及び前記生体力学的モデルに関連する１つ以上の幾何学的変化を取込むことにより前記解剖学的モデルを更新することと、
を含む方法。
【手続補正２】
【補正対象書類名】明細書
【補正対象項目名】００１２
【補正方法】変更
【補正の内容】
【００１２】
上述の一般的説明及び以下の詳細な説明の両方共が、単に例示的かつ説明的なものであり、請求されている通りの開示された実施形態を限定するものではないということを理解すべきである。
本願明細書は、例えば、以下の項目も提供する。
（項目１）
解剖学的モデリングのコンピュータ実施型方法において、
患者の１つ以上の血管の第１の解剖学的モデルを、プロセッサを用いて決定することと、
少なくとも前記第１の解剖学的モデルに基づいて前記１つ以上の血管の生体力学的モデルを決定することと、
前記患者の生理学的状態に関連する１つ以上のパラメータを決定することと、
前記生体力学的モデル及び前記生理学的状態に関連する前記１つ以上のパラメータに基づいて第２の解剖学的モデルを作成することと、
を含む方法。
（項目２）
前記生理学的状態が、ベースライン状態、充血状態、運動状態または治療後状態のうちの１つに基づくものである、項目１に記載の方法。
（項目３）
前記１つ以上のパラメータが、生理学的条件、境界条件またはそれらの組合せに関連するものである、項目１に記載の方法。
（項目４）
前記生体力学的モデルに基づいてシミュレーションを実施することをさらに含み、前記１つ以上のパラメータが前記シミュレーションに基づいている、項目１に記載の方法。
（項目５）
前記シミュレーションが血流及び血圧のシミュレーションを含む、項目４に記載の方法。
（項目６）
前記第１の解剖学的モデルの１つ以上の部分を選択することをさらに含み、前記生体力学的モデルが前記第１の解剖学的モデルの前記１つ以上の部分の各々について１つ以上のモデルを含む、項目１に記載の方法。
（項目７）
前記生体力学的モデルが前記１つ以上の血管壁の測定値または特性のうちの少なくとも１つを含む、項目１に記載の方法。
（項目８）
前記第２の解剖学的モデルに基づいてシミュレーションを実施することと、
前記シミュレーションの結果を出力することと、
をさらに含む、項目１に記載の方法。
（項目９）
解剖学的モデリング用のシステムにおいて、
解剖学的モデリングのための命令を記憶するデータ記憶デバイスと、
方法を実施するための命令を実行するように構成されたプロセッサと、を具備し、
前記方法は、
患者の１つ以上の血管の第１の解剖学的モデルを、プロセッサを用いて決定することと、
少なくとも前記第１の解剖学的モデルに基づいて前記１つ以上の血管の生体力学的モデルを決定することと、
前記患者の生理学的状態に関連する１つ以上のパラメータを決定することと、
前記生体力学的モデル及び前記生理学的状態に関連する前記１つ以上のパラメータに基づいて第２の解剖学的モデルを作成することと、
を含む、システム。
（項目１０）
前記生理学的状態が、ベースライン状態、充血状態、運動状態または治療後状態のうちの１つに基づくものである、項目９に記載のシステム。
（項目１１）
前記１つ以上のパラメータが、生理学的条件、境界条件またはそれらの組合せに関連するものである、項目９に記載の方法。
（項目１２）
さらに、前記生体力学的モデルに基づいてシミュレーションを実施するために構成されており、前記１つ以上のパラメータが前記シミュレーションに基づいている、項目９に記載のシステム。
（項目１３）
前記シミュレーションが血流及び血圧のシミュレーションを含む、項目１２に記載のシステム。
（項目１４）
さらに、前記第１の解剖学的モデルの１つ以上の部分を選択するために構成されており、前記生体力学的モデルが前記第１の解剖学的モデルの前記１つ以上の部分の各々について１つ以上のモデルを含む、項目９に記載のシステム。
（項目１５）
前記生体力学的モデルが前記１つ以上の血管壁の測定値または特性のうちの少なくとも１つを含む、項目９に記載のシステム。
（項目１６）
さらに、
前記第２の解剖学的モデルに基づいてシミュレーションを実施するためと、
前記シミュレーションの結果を出力するために、
構成されている、項目９に記載のシステム。
（項目１７）
解剖学的モデリングの方法を実施するためのコンピュータ実行可能なプログラミング命令を含むコンピュータシステム上で使用するための非一時的コンピュータ可読媒体において、
前記方法は、
患者の１つ以上の血管の第１の解剖学的モデルを、プロセッサを用いて決定することと、
少なくとも前記第１の解剖学的モデル及び第１の状態に関連する１つ以上のパラメータに基づいて前記１つ以上の血管の生体力学的モデルを決定することと、
前記患者の第２の生理学的状態に関連する１つ以上のパラメータを決定することと、
前記生体力学的モデル及び前記生理学的状態に関連する前記１つ以上のパラメータに基づいて第２の解剖学的モデルを作成することと、
を含む、非一時的コンピュータ可読媒体。
（項目１８）
前記生理学的状態が、ベースライン状態、充血状態、運動状態または治療後状態のうちの１つに基づくものである、項目１７に記載の非一時的コンピュータ可読媒体。
（項目１９）
前記１つ以上のパラメータが、生理学的条件、境界条件またはそれらの組合せに関連するものである、項目１７に記載の非一時的コンピュータ可読媒体。
（項目２０）
前記方法は、
前記生体力学的モデルに基づいてシミュレーションを実施することをさらに含み、前記１つ以上のパラメータが前記シミュレーションに基づいている、項目１７に記載の非一時的コンピュータ可読媒体。